(57)【要約】【課題】入退場者だけでなく配達荷物の入出庫を管理するために情報タグを検知する。【解決手段】ＰＣ２０のＣＰＵ２１は、ＲＦＩＤスキャナで配達荷物に貼付されたＲＦＩＤタグを検知した際、配達員が持っているＲＦＩＤタグを検知したか否かをチェックし、配達員のＲＦＩＤタグを検知した際に検知動作を終了し、配達員のＲＦＩＤタグを検知できていない場合に警報装置９を鳴動する。【選択図】図４
2005267440.tif 000002
【特許請求の範囲】
【請求項１】
第１の情報タグが貼付された荷物と、
この荷物の配達者に付与された第２の情報タグと、
上記荷物が集荷されている施設の出入り口に設けられたアンテナと、
このアンテナを介して無線周波帯の搬送波を用いて非接触にて上記第１、第２の情報タグを検知する検知手段と、
上記荷物が上記施設の出入り口近傍に移動された際、上記検知手段が上記第１の情報タグを検知し、上記第２の情報タグを検知しなかった場合に予め設けられた警報手段で警報を発する制御を行う制御手段と、
を具備したことを特徴とする情報タグ検知装置。
【発明の詳細な説明】
【技術分野】
【０００１】
この発明は、無線周波帯の搬送波を用いて非接触にて情報タグ（ＲＦＩＤタグ）を検知する情報タグ検知装置に関する。
【背景技術】
【０００２】
従来、ＲＦＩＤと赤外線センサ等の侵入検知器とを組み合わせて施設の出入り口に設けて、許可者と非許可者が混在する場合においても、当該施設への入退場を管理する入退場者の管理システムが提案されている（例えば、特許文献１）。
【０００３】
しかしながら、例えば、集荷所などのように配達荷物を扱う場合、入退場者だけでなく各配達荷物の入出庫も管理する必要があった。
【特許文献１】特開２００２−３３４３８２号公報
【発明の開示】
【発明が解決しようとする課題】
【０００４】
上記したように、集荷所などのように配達荷物を扱う場合、入退場者だけでなく各配達荷物の入出庫も管理する必要があるという問題があった。
【０００５】
この発明の目的は、入退場者だけでなく配達荷物の入出庫を管理するために情報タグを検知することのできる情報タグ検知装置を提供することである。
【課題を解決するための手段】
【０００６】
この発明の情報タグ検知装置は、第１の情報タグが貼付された荷物と、この荷物の配達者に付与された第２の情報タグと、上記荷物が集荷されている施設の出入り口に設けられたアンテナと、このアンテナを介して無線周波帯の搬送波を用いて非接触にて上記第１、第２の情報タグを検知する検知手段と、上記荷物が上記施設の出入り口近傍に移動された際、上記検知手段が上記第１の情報タグを検知し、上記第２の情報タグを検知しなかった場合に予め設けられた警報手段で警報を発する制御を行う制御手段とから構成されている。
【発明の効果】
【０００７】
本発明の情報タグ検知装置は、ＲＦＩＤタグ（情報タグ）を貼付した配達荷物を集荷所から移動するときに許可者のみに移動を可能にすることができる。
【発明を実施するための最良の形態】
【０００８】
以下、図面を参照して、この発明の実施の形態について詳細に説明する。
【０００９】
図１は、この発明の情報タグ検知装置を用いた宅配会社における配達荷物の集荷所の概略構成を示すものである。
【００１０】
すなわち、集荷所１には、図上見えないＲＦＩＤタグが添付された配達物が配達先別の配達荷物３に振り分けられている。この配達荷物３には、ＲＦＩＤタグ（情報タグ）２が貼付されている。これらの配達荷物３は、出入り口５から入ったＲＦＩＤタグ６を持っている配達員７によって出入り口５からトラックへ積み込まれて目的の配達先へ配送される。なお、配達員７が持っているＲＦＩＤタグ６は、許可者であることを示す情報が予め記憶されている。
【００１１】
この出入り口５には、詳しくは後述するが上記ＲＦＩＤタグ２，６を検知するＲＦＩＤのアンテナ８と警報装置９とが設けられている。
【００１２】
図２は、この発明に係る情報タグ検知装置の構成を示すものである。情報タグ検知装置は、ＲＦＩＤのアンテナ８を有するＲＦＩＤスキャナ１０、このＲＦＩＤスキャナ１０とＲＳ−２３２Ｃを介して接続されるパーソナルコンピュータ（ＰＣ）２０、及びＰＣ２０と接続された警報装置９とから構成されている。なお、ＲＳ−２３２Ｃは、米国電子工業会（ＥＩＡ）によって規定されたシリアルインターフェイスの規格名である。
【００１３】
図３は、ＲＦＩＤスキャナ１０の構成例を示すものである。ＲＦＩＤスキャナ１０は、全体の制御を司るＣＰＵ１１、プログラム等を記憶しているＲＯＭ１２、情報を一時記憶するＲＡＭ１３、ＰＣ２０とＲＳ−２３２Ｃを介して接続するインターフェース（Ｉ／Ｆ）ドライバ１４、変調及び復調を行う変調／復調回路１５、ＲＦＩＤのアンテナ８に接続される電波入出力回路１６とから構成されている。
【００１４】
図４は、ＰＣ２０の構成例を示すものである。ＰＣ２０は、全体の制御を司るＣＰＵ２１、プログラム等を記憶しているＲＯＭ２２、情報を一時記憶するＲＡＭ２３、情報を記憶するハードディスク装置（ＨＤＤ）２４、ＲＦＩＤスキャナ１０とＲＳ−２３２Ｃを介して接続するインターフェース（Ｉ／Ｆ）ドライバ２５、及び上述した警報装置９と接続するインターフェース（Ｉ／Ｆ）ドライバ２６とから構成されている。
【００１５】
上述したように、本実施の形態で使用されるＲＦＩＤタグには、配達荷物３に貼付されたＲＦＩＤタグ２と配達員７用のＲＦＩＤタグ６とがある。
【００１６】
ＰＣ２０のＣＰＵ２１は、ＲＦＩＤタグ２の配達荷物３用のＩＤを特定できるデータと、ＲＦＩＤタグ６の配達員７を特定できるデータとを予めＨＤＤ２４に記憶し、ＩＤを照合する。
【００１７】
例えば、詳しくは後述するが、ＣＰＵ２１は、ＲＦＩＤタグ２が貼付された配達荷物３を許可者（配達員のＩＤが記録されているＲＦＩＤタグ６を持っている者）以外が集荷所から持ち出そうとすると警報装置９を鳴動する。
【００１８】
次に、このような構成において、情報タグ検知装置の動作を図５のフローチャートを参照して説明する。
【００１９】
まず、図１に示すように、例えば、集荷用のトラック３０が集荷所１に横付けされ、配達員７が出入り口５から集荷所１内へ入ったものとする。その配達員７は、目的の配達荷物３を持って出入り口５から出ようとする。
【００２０】
その際、ＲＦＩＤスキャナ１０は、当該配達荷物３に添付されたＲＦＩＤタグ２、及び配達員７が持っているＲＦＩＤタグ６を検知する。
【００２１】
ＰＣ２０のＣＰＵ２１は、ＲＦＩＤスキャナ１０で配達荷物３に貼付されたＲＦＩＤタグ２を検知した際（ＳＴ１）、配達員７が持っているＲＦＩＤタグ６を検知したか否かをチェックする（ＳＴ２）。
【００２２】
ステップＳＴ２でＲＦＩＤタグ６を検知した際、ＣＰＵ２１は、検知動作を終了する。
【００２３】
ステップＳＴ２でＲＦＩＤタグ６を検知できていない場合、ＣＰＵ２１は、警報装置６を鳴動する。
【００２４】
なお、配達員７が持っているＲＦＩＤタグ６を検知した際、当該ＲＦＩＤタグ６のＩＤを予め記憶してある配達員のＩＤと照合して一致しなければ警報装置６を鳴動するようにしても良い。
【００２５】
また、ＰＣ２０のＣＰＵ２１は、出入り口５を通過した配達荷物３に添付されたＲＦＩＤタグ２を読み取った情報から、どの配達荷物が何時に出入り口５を通過したかをＨＤＤ２４に保存するが可能である。
【００２６】
また、ＣＰＵ２１は、どの配達員がどの配達荷物を持ち出したかの情報をＨＤＤ２４に保存することも可能である。
【００２７】
以上説明したように上記発明の実施の形態によれば、集荷所から不正な配達荷物の持ち出しを防ぐことができる。
【００２８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２９】
【図１】この発明の情報タグ検知装置を用いた宅配会社における配達荷物の集荷所の概略構成を示す図。
【図２】この発明に係る情報タグ検知装置の構成を示す図。
【図３】ＲＦＩＤスキャナの構成例を示す図。
【図４】パーソナルコンピュータの構成例を示すブロック図。
【図５】情報タグ検知装置の動作を説明するためのフローチャート。
【符号の説明】
【００３０】
１…集荷所、２，６…ＲＦＩＤタグ、３…配達荷物、５…出入り口、７…配達員、８…ＲＦＩＤのアンテナ、９…警報装置、１０…ＲＦＩＤスキャナ、１１，２１…ＣＰＵ、１２，２２…ＲＯＭ、１３，２３…ＲＡＭ、１４，２５，２６…インターフェースドライバ、１５…変調／復調回路、１６…電波入出力回路、２０…パーソナルコンピュータ、２４…ハードディスク装置。
【図１】
2005267440.tif 000003
【図２】
2005267440.tif 000004
【図３】
2005267440.tif 000005
【図４】
2005267440.tif 000006
【図５】
2005267440.tif 000007